(57)【特許請求の範囲】
【請求項１】
予め規定された開始条件が満たされたときに、測定対象体についての電気的パラメータを測定して測定データを生成すると共に、前記測定データの値を表示部に表示させる第１の処理、および前記測定データの値と第１の比較値とを比較して比較結果を報知する第２の処理を実行する測定処理部を備えた測定装置であって、
前記測定処理部は、予め規定された第１の時間毎に生成した前記測定データを用いて前記第１の処理を実行するのに先立ち、当該第１の時間よりも短い第２の時間内で生成した前記測定データを用いて前記第２の処理を実行し、かつ前記第１の処理の実行の後に、当該第１の処理において前記表示部に表示させた前記測定データの値と第２の比較値とを比較して比較結果を報知する第３の処理を実行する測定装置。
【請求項２】
前記測定処理部は、前記第２の処理時において前記第２の比較値よりも大きな値に規定されている前記第１の比較値と前記測定データの値とを比較して当該測定データの値が当該第１の比較値以上のときに前記測定対象体が良好であるとの前記比較結果を報知すると共に、前記第３の処理時において前記測定データの値が前記第２の比較値以上のときに前記測定対象体が良好であるとの前記比較結果を報知する請求項１記載の測定装置。
【請求項３】
前記測定処理部は、前記第２の処理時において前記第２の比較値よりも小さな値に規定されている前記第１の比較値と前記測定データの値とを比較して当該測定データの値が当該第１の比較値以下のときに前記測定対象体が良好であるとの前記比較結果を報知すると共に、前記第３の処理時において前記測定データの値が前記第２の比較値以下のときに前記測定対象体が良好であるとの前記比較結果を報知する請求項１記載の測定装置。
【請求項４】
前記測定処理部は、前記第２の処理時に前記第１の比較値と比較した前記測定データの値を前記表示部に表示させずに前記第１の処理によって前記測定データの値を表示させるまで当該測定データの値の非表示状態を維持する請求項１から３のいずれかに記載の測定装置。
【請求項５】
前記測定処理部は、前記第２の処理時に前記比較結果に応じて前記表示部の画面色を予め規定された色に変更させることで当該比較結果を報知する請求項１から４のいずれかに記載の測定装置。
【請求項６】
予め規定された開始条件が満たされたときに、測定対象体についての電気的パラメータを測定して測定データを生成すると共に、前記測定データの値を表示部に表示させる第１の処理、および前記測定データの値と第１の比較値とを比較して比較結果を報知する第２の処理を実行する測定方法であって、
予め規定された第１の時間毎に生成した前記測定データを用いて前記第１の処理を実行するのに先立ち、当該第１の時間よりも短い第２の時間内で生成した前記測定データを用いて前記第２の処理を実行し、前記第１の処理の実行の後に、当該第１の処理において前記表示部に表示させた前記測定データの値と第２の比較値とを比較して比較結果を報知する第３の処理を実行する測定方法。
【発明の詳細な説明】
【技術分野】
【０００１】
本発明は、測定対象体についての電気的パラメータを測定して測定データを生成すると共に、測定データの値を表示部に表示させる第１の処理と、測定データの値と予め規定された比較値とを比較して比較結果を報知する第２の処理とを実行する測定装置および測定方法に関するものである。
【背景技術】
【０００２】
この種の測定装置および測定方法として、出願人は、絶縁抵抗計およびその絶縁抵抗計による絶縁抵抗値の測定方法を特開２０００−２１４１９４号公報に開示している。この絶縁抵抗計による絶縁抵抗値の測定に際しては、まず、被測定電気機器（測定対象体）に一対のプローブを接触させた状態において、測定開始を指示するための測定レバーをオン操作する。この際には、測定電圧発生部から被測定電気機器に定格測定電圧が印加されると共に、その状態において被測定電気機器を流れる電流が電流検出部によって検出される。また、印加電圧および検出電流がＡ／Ｄ変換部によってそれぞれディジタルデータに変換されると共に、Ａ／Ｄ変換部から出力された電圧データおよび電流データに基づいてＣＰＵによって被測定電気機器の絶縁抵抗値が算出される。これにより、ＣＰＵの演算結果（絶縁抵抗値）が表示部の測定値表示領域に表示される。
【０００３】
また、この絶縁抵抗計では、上記の測定処理と同様の手順に従って測定した測定値と、予め規定された基準値とを比較して比較結果を報知することができるように構成されている。具体的には、コンパレータボタンが操作されたときに、ＣＰＵは、コンパレータ処理（比較処理）を実行している旨を報知する「ＣＯＭＰ」とのマークを表示部に表示させると共に、記憶手段から基準値を読み出してその値を基準値表示領域に表示させる。次いで、測定レバーをオン操作する。この際には、上記の測定処理と同様の手順に従って被測定電気機器の絶縁抵抗値が測定されると共に、その測定値と基準値との大小関係が比較される。この際に、測定値が基準値以上のとき（測定された絶縁抵抗値が基準の絶縁抵抗値以上のとき）には、ＬｏＨｉ表示領域に「Ｈｉ」とのマークが表示される。一方、測定値よりも基準値の方が大きいとき（測定された絶縁抵抗値が基準の絶縁抵抗値よりも小さいとき）には、表示部のＬｏＨｉ表示領域に「Ｌｏ」とのマークが表示されると共に、ブザーが鳴動する。これにより、被測定電気機器が所望の絶縁状態となっているかをオペレータに認識させることができる。
【先行技術文献】
【特許文献】
【０００４】
【特許文献１】特開２０００−２１４１９４号公報（第３−５頁、第１−５図）
【発明の概要】
【発明が解決しようとする課題】
【０００５】
しかしながら、出願人が開示している絶縁抵抗計およびその測定方法には、以下の改善すべき課題が存在する。すなわち、出願人が開示している絶縁抵抗計およびその測定方法では、コンパレータ処理に際して、被測定電気機器の絶縁抵抗値を測定するための測定処理と同様の手順に従って測定した絶縁抵抗値（測定値）と基準値との大小関係を比較している。この場合、この種の絶縁抵抗計において被測定電気機器の絶縁抵抗値を正確に測定するためには、被測定電気機器に印加する定格測定電圧のふらつきや、測定される電流のふらつきなどの影響を排除するために様々な処理を実行する必要がある。このため、処理を開始してから、比較すべき測定値の基となる電圧データおよび電流データがＡ／Ｄ変換部から出力されるまでにある程度長い時間を要する。したがって、単に、被測定電気機器が所望の絶縁状態となっているかを知りたいだけであっても、コンパレータ処理の結果（判定結果）が報知されるまでに長い時間を要するため、この点を改善するのが好ましい。
【０００６】
本発明は、かかる改善すべき課題に鑑みてなされたものであり、測定データの値と予め規定された比較値との比較結果を短時間で報知し得る測定装置および測定方法を提供することを主目的とする。
【課題を解決するための手段】
【０００７】
上記目的を達成すべく、請求項１記載の測定装置は、予め規定された開始条件が満たされたときに、測定対象体についての電気的パラメータを測定して測定データを生成すると共に、前記測定データの値を表示部に表示させる第１の処理、および前記測定データの値と第１の比較値とを比較して比較結果を報知する第２の処理を実行する測定処理部を備えた測定装置であって、前記測定処理部は、予め規定された第１の時間毎に生成した前記測定データを用いて前記第１の処理を実行するのに先立ち、当該第１の時間よりも短い第２の時間内で生成した前記測定データを用いて前記第２の処理を実行し、かつ前記第１の処理の実行の後に、当該第１の処理において前記表示部に表示させた前記測定データの値と第２の比較値とを比較して比較結果を報知する第３の処理を実行する。
【０００９】
また、請求項２記載の測定装置は、請求項１記載の測定装置において、前記測定処理部は、前記第２の処理時において前記第２の比較値よりも大きな値に規定されている前記第１の比較値と前記測定データの値とを比較して当該測定データの値が当該第１の比較値以上のときに前記測定対象体が良好であるとの前記比較結果を報知すると共に、前記第３の処理時において前記測定データの値が前記第２の比較値以上のときに前記測定対象体が良好であるとの前記比較結果を報知する。
【００１０】
さらに、請求項３記載の測定装置は、請求項１記載の測定装置において、前記測定処理部は、前記第２の処理時において前記第２の比較値よりも小さな値に規定されている前記第１の比較値と前記測定データの値とを比較して当該測定データの値が当該第１の比較値以下のときに前記測定対象体が良好であるとの前記比較結果を報知すると共に、前記第３の処理時において前記測定データの値が前記第２の比較値以下のときに前記測定対象体が良好であるとの前記比較結果を報知する。
【００１１】
また、請求項４記載の測定装置は、請求項１から３のいずれかに記載の測定装置において、前記測定処理部は、前記第２の処理時に前記第１の比較値と比較した前記測定データの値を前記表示部に表示させずに前記第１の処理によって前記測定データの値を表示させるまで当該測定データの値の非表示状態を維持する。
【００１２】
さらに、請求項５記載の測定装置は、請求項１から４のいずれかに記載の測定装置において、前記測定処理部は、前記第２の処理時に前記比較結果に応じて前記表示部の画面色を予め規定された色に変更させることで当該比較結果を報知する。
【００１３】
また、請求項６記載の測定方法は、予め規定された開始条件が満たされたときに、測定対象体についての電気的パラメータを測定して測定データを生成すると共に、前記測定データの値を表示部に表示させる第１の処理、および前記測定データの値と第１の比較値とを比較して比較結果を報知する第２の処理を実行する測定方法であって、予め規定された第１の時間毎に生成した前記測定データを用いて前記第１の処理を実行するのに先立ち、当該第１の時間よりも短い第２の時間内で生成した前記測定データを用いて前記第２の処理を実行し、前記第１の処理の実行の後に、当該第１の処理において前記表示部に表示させた前記測定データの値と第２の比較値とを比較して比較結果を報知する第３の処理を実行する。
【発明の効果】
【００１４】
請求項１記載の測定装置、および請求項６記載の測定方法によれば、予め規定された第１の時間毎に生成した測定データを用いてその値を表示部に表示させる第１の処理を実行するのに先立ち、第１の時間よりも短い第２の時間内で生成した測定データを用いてその値と第１の比較値とを比較して比較結果を報知する第２の処理を実行することにより、正確な絶縁抵抗値の表示を目的としていることで、長い測定時間を要する第１の処理を開始する前に、十分に短い測定時間内に生成した測定データと第１の比較値との比較結果が表示部に短時間で表示されるため、比較結果を短時間で認識させることができる。
【００１５】
また、この測定装置および測定方法によれば、第１の処理において表示部に表示させた測定データの値と第２の比較値とを比較して比較結果を報知する第３の処理を第１の処理の後に実行することにより、仮に、測定時間が短いことに起因して測定データが不正確であったとしても、その不正確な測定データを用いた第２の処理の報知内容が、十分に長い測定時間内に測定された正確な測定データを用いた比較結果に修正されるため、正確な比較結果をオペレータに認識させることができる。
【００１６】
さらに、請求項２記載の測定装置は、測定データの値が比較値以上のときに測定対象体が良好であるとの比較結果を報知する測定装置であって、第２の処理において第２の比較値よりも大きな値に規定されている第１の比較値と測定データの値とを比較する。また、請求項３記載の測定装置は、測定データの値が比較値以下のときに測定対象体が良好であるとの比較結果を報知する測定装置であって、第２の処理において第２の比較値よりも小さな値に規定されている第１の比較値と測定データの値とを比較する。したがって、請求項２記載の測定装置および請求項３記載の測定装置によれば、測定時間が短いことで不正確である可能性がある測定データと比較する第２の処理においては、測定対象体の状態とは相違する比較結果とならないように、余裕（マージン）を持った第１の比較値を用いると共に、測定時間が長いことで十分に正確である測定データと比較する第３の処理においては、比較結果に基づいて測定対象体の状態を正確に把握できるように余裕が小さい第２の比較値を用いることで、第２の処理および第３の処理の双方において、誤った比較結果が報知される事態を好適に回避することができる。
【００１７】
また、請求項４記載の測定装置によれば、第２の処理時に第１の比較値と比較した測定データの値を表示部に表示させずに第１の処理によって測定データの値を表示させるまで測定データの値の非表示状態を維持することにより、測定時間が短いことで不正確である可能性がある測定データの値が表示部に表示されて、不正確な値がオペレータによって認識される事態を好適に回避することができる。
【００１８】
さらに、請求項５記載の測定装置によれば、第２の処理時に比較結果に応じて表示部の画面色を予め規定された色に変更させることで比較結果を報知することにより、この種の装置の使用に不慣れなオペレータに対しても、比較結果を直感的に認識させることができる。
【図面の簡単な説明】
【００１９】
【図１】絶縁抵抗計１の構成図である。
【図２】絶縁抵抗計１において実行される絶縁抵抗測定処理１０のフローチャートである。
【図３】絶縁抵抗測定処理１０における比較処理Ａ２０のフローチャートである。
【図４】絶縁抵抗測定処理１０における比較処理Ｂ３０のフローチャートである。
【発明を実施するための形態】
【００２０】
以下、添付図面を参照して、測定装置および測定方法の実施の形態について説明する。
【００２１】
図１に示す絶縁抵抗計１は、「測定装置」の一例であって、測定対象体Ｘにおける任意の２点間の絶縁抵抗値を測定可能に構成されている。具体的には、絶縁抵抗計１は、測定部２、操作部３、表示部４、記憶部５および処理部６を備えて構成されている。測定部２は、処理部６と相まって「測定処理部」を構成する。この測定部２は、コンタクトプローブ２ａ，２ｂを介して測定対象体Ｘに測定用電圧を印加する測定電圧発生部（図示せず）や、測定対象体Ｘに印加している測定用電圧や測定対象体Ｘに流れる電流を検出して測定データＤａ（電圧値データ）および測定データＤｂ（電流値データ）を出力するＡ／Ｄ変換部（図示せず）などを備えて構成されている。
【００２２】
操作部３は、図示しない測定開始／停止スイッチや、絶縁抵抗計１の動作条件（測定条件）を設定するための各種操作スイッチを備え、スイッチ操作に応じて操作信号を出力する。表示部４は、一例として、ＬＥＤバックライトを有する液晶表示器で構成されて、処理部６の制御に従って、測定結果や、後述する比較処理の結果を表示する。なお、表示部４を備えた「測定装置」の例について説明するが、「表示部」を備えずに、外部装置としての「表示部」に測定結果等を表示させる構成を採用することもできる。記憶部５は、後述する比較処理に際して処理部６が使用する判定値Ａ，Ｂ（「第１の比較値」および「第２の比較値」の一例）、処理部６の動作プログラム、および処理部６によって演算された抵抗値データＤｃなどを記憶する。
【００２３】
処理部６は、絶縁抵抗計１を総括的に制御する。具体的には、処理部６は、操作部３の測定開始／停止スイッチが操作されたとき（「予め規定された開始条件が満たされたとき」の一例）に、測定部２を制御して、測定対象体Ｘに対する測定用電圧の印加、および測定データＤａ，Ｄｂの生成を開始させる。また、処理部６は、測定部２から出力された測定データＤａ，Ｄｂに基づいて測定対象体Ｘにおいてコンタクトプローブ２ａ，２ｂが接触させられている２点間の絶縁抵抗値を演算して抵抗値データＤｃ（「測定データ」の一例）を生成し（後述する絶縁抵抗測定処理１０におけるステップ１３，１５：図２参照）、生成した抵抗値データＤｃを記憶部５に記憶させる。
【００２４】
さらに、処理部６は、生成した抵抗値データＤｃの値を数値やグラフによって表示部４に表示させる測定結果表示処理（「第１の処理」の一例：絶縁抵抗測定処理１０におけるステップ１６）を実行する。また、処理部６は、生成した抵抗値データＤｃの値と記憶部５に記憶されている判定値Ａ，Ｂのいずれかとを比較して、その比較結果に応じて表示部４の画面色を変更させることで比較結果を報知する比較結果報知処理（「第２の処理」および「第３の処理」の一例：絶縁抵抗測定処理１０における比較処理Ａ２０および比較処理Ｂ３０：図３，４参照）を実行する。
【００２５】
この絶縁抵抗計１の使用に際しては、まず、コンタクトプローブ２ａ，２ｂを測定対象体Ｘの任意の２点にそれぞれ接触させると共に、図示しない電源スイッチを投入する。この際には、処理部６が記憶部５に記憶されている動作プログラムに従い、図２に示す絶縁抵抗測定処理１０を開始する。この絶縁抵抗測定処理１０では、処理部６は、まず、操作部３の測定開始／停止スイッチが操作されたか否かの監視を開始する（ステップ１１）。
【００２６】
また、処理部６は、操作部３からの操作信号に基づいて測定開始／停止スイッチが操作されたと判別したときに、測定部２を制御して、測定対象体Ｘに対する測定用電圧の印加を開始してから測定データＤａ，Ｄｂが出力されるまでの時間（以下、「測定時間」ともいう）を時間Ａ（「第２の時間」の一例：例えば、１０ｍｓ）に設定して、測定データＤａ，Ｄｂを生成する処理を開始させる（ステップ１２）。この際に、測定部２は、処理部６の制御に従い、コンタクトプローブ２ａ，２ｂを介して測定対象体Ｘへの測定用電圧の印加を開始すると共に、印加している測定用電圧、および測定用電圧を印加している状態において測定対象体Ｘを流れる電流をそれぞれ検出して測定データＤａ，Ｄｂを生成し、生成した測定データＤａ，Ｄｂを処理部６に出力する。
【００２７】
この場合、この種の「測定装置」では、測定用電圧の印加を開始してから、その電圧値が所望の電圧値（定格の電圧値）に達するまでにある程度の時間を要する。したがって、この絶縁抵抗計１では、一例として、測定用電圧の印加を開始してから数十ｍｓ程度の時間が経過して測定用電圧の電圧値がある程度上昇した時点において、Ａ／Ｄ変換部が測定データＤａ，Ｄｂの生成を開始する構成が採用されている。また、Ａ／Ｄ変換部は、測定用電圧の電圧値が規定の電圧値に達した後に、処理部６によって設定された上記の「測定時間」内に複数回のサンプリング処理を実行すると共に、各サンプリング値の平均化処理やフィルタリング処理等を行うことにより、設定された「測定時間」内に、１つの測定データＤａおよび１つの測定データＤｂを生成して出力する。
【００２８】
一方、処理部６は、測定部２から出力された測定データＤａ，Ｄｂに基づき、コンタクトプローブ２ａ，２ｂが接触させられている２点間の絶縁抵抗値を演算して抵抗値データＤｃ（「測定データ」の一例）を生成して（ステップ１３）、記憶部５に記憶させる。次いで、処理部６は、図３に示す比較処理Ａ２０を開始する。この比較処理Ａ２０では、処理部６は、まず、生成した抵抗値データＤｃの値（上記の２点間の絶縁抵抗値）が、記憶部５に記憶されている判定値Ａ（「第１の比較値」の一例）以上であるか否かを判別する（ステップ２１）。
【００２９】
この際に、抵抗値データＤｃの値が判定値Ａ以上のとき（判定値Ａが抵抗値データＤｃの値以下のとき）には、処理部６は、表示部４のＬＥＤバックライトを緑色で点灯させることにより、表示部４の表示画面を緑色に変更させる（「測定対象体が良好であるとの比較結果」を報知する例であって、比較結果に応じて画面色を「予め規定された色」の一例である緑色に変更させることで比較結果（判定結果）を報知する例：ステップ２２）。これにより、緑色の表示画面を視認したオペレータは、コンタクトプローブ２ａ，２ｂを接触させている２点間が、規定された絶縁抵抗値以上の絶縁状態で良好に絶縁されているのを直感的に認識する。
【００３０】
一方、抵抗値データＤｃの値が判定値Ａよりも小さかったとき（判定値Ａが抵抗値データＤｃの値よりも大きかったとき）には、処理部６は、表示部４のＬＥＤバックライトを赤色で点灯させることにより、表示部４の表示画面を赤色に変更させると共に、図示しないスピーカから警告音を出力させる（「測定対象体が良好ではないとの比較結果」を報知する例であって、比較結果に応じて画面色を「予め規定された色」の一例である赤色に変更させると共に警告音を出力することで比較結果（判定結果）を報知する例：ステップ２３）。これにより、赤色の表示画面を視認すると共に警告音を聞いたオペレータは、コンタクトプローブ２ａ，２ｂを接触させている２点間が、規定された絶縁抵抗値に満たない絶縁状態であるのを直感的に認識する。
【００３１】
この場合、ＬＥＤバックライトおよび液晶表示器を有する表示部４において画面色を変更させるためにバックライトの点灯色を変更させる例について説明したが、例えば、白色光源およびカラーフィルタ付き液晶表示器を有する「表示部」、カラー有機ＥＬ表示器で構成された「表示部」、およびカラーＣＲＴで構成された「表示部」等を採用している場合には、表示画面の少なくとも一部の色（背景色等）を緑色や赤色に変更させることで、上記の例と同様にして比較結果（判定結果）を報知することができる。
【００３２】
なお、この例では、上記の比較処理Ａ２０におけるステップ２１，２２、またはステップ２１，２３の処理が「第２の処理」に相当する。この場合、短い「測定時間」内に測定された測定データＤａ，Ｄｂに基づいて算出された絶縁抵抗値は、測定用電圧の電圧値や、測定対象体Ｘを流れる電流の電流値に生じるふらつき等に起因して、十分に正確な値ではない可能性がある。したがって、この絶縁抵抗計１では、上記のステップ１３において演算された絶縁抵抗値については、その値を表示部４に表示させずに、後述するステップ１６（図２参照）において正確な絶縁抵抗値を表示するまで、絶縁抵抗値の非表示状態を維持する構成が採用されている。
【００３３】
一方、絶縁抵抗値等を正確に測定するには、電圧値や電流値のふらつきに起因して不正確な測定値が演算されることのないように、「測定時間」を十分に長く規定する必要がある。したがって、この絶縁抵抗計１では、上記したように、２点間の絶縁状態を報知するための上記の各ステップにおいては、比較結果（判定結果）を迅速に報知するために、「測定時間」をある程度短い時間Ａ（この例では、１０ｍｓ）に設定して測定処理を実行するのに対して、正確な絶縁抵抗値を表示させるための以降のステップにおいては、「測定時間」を、時間Ａよりも長い時間Ｂ（一例として、３００ｍｓ：「第１の時間」の一例）に設定して測定処理を実行する。
【００３４】
具体的には、処理部６は、比較結果（判定結果）を報知して上記の比較処理Ａ２０を終了した後に、「測定時間」を３００ｍｓに設定して、測定データＤａ，Ｄｂを生成する処理を開始させる（ステップ１４）。この際に、測定部２は、処理部６の制御に従い、コンタクトプローブ２ａ，２ｂを介して測定対象体Ｘの２点間に測定用電圧を印加すると共に、印加している測定用電圧、および測定用電圧を印加している状態において測定対象体Ｘを流れる電流をそれぞれ検出して測定データＤａ，Ｄｂを生成し、生成した測定データＤａ，Ｄｂを処理部６に出力する。
【００３５】
この際には、上記の比較結果（判定結果）の報知に際して実行される測定処理時よりも十分に長い時間に亘って複数回のサンプリング処理が実行されると共に、各サンプリング値の平均化処理やフィルタリング処理等が実行されて、３００ｍｓ毎に各１つの測定データＤａ，Ｄｂが生成されて出力される。また、処理部６は、測定部２から出力された測定データＤａ，Ｄｂに基づき、コンタクトプローブ２ａ，２ｂが接触させられている２点間の絶縁抵抗値を演算して抵抗値データＤｃ（「測定データ」の一例）を生成して（ステップ１５）、記憶部５に記憶させる。次いで、処理部６は、表示部４を制御して、生成した抵抗値データＤｃの値を表示させる（「第１の処理」の一例：ステップ１６）。これにより、十分に正確な測定結果が表示される。
【００３６】
次いで、処理部６は、図４に示す比較処理Ｂ３０を開始する。この比較処理Ｂ３０では、処理部６は、まず、生成した抵抗値データＤｃの値（３００ｍｓの「測定時間」内に測定された測定データＤａ，Ｄｂに基づく絶縁抵抗値：「第１の処理において表示部に表示させた測定データの値」の一例）が、記憶部５に記憶されている判定値Ｂ（「第２の比較値」の一例）以上であるか否かを判別する（ステップ３１）。この際に、抵抗値データＤｃの値が判定値Ｂ以上のとき（判定値Ｂが抵抗値データＤｃの値以下のとき）には、処理部６は、前述した比較処理Ａ２０のステップ２２と同様にして、表示部４のＬＥＤバックライトを緑色で点灯させることにより、表示部４の表示画面を緑色に変更させる（「測定対象体が良好であるとの比較結果」を報知する例であって、比較結果に応じて画面色を「予め規定された色」の一例である緑色に変更させることで比較結果（判定結果）を報知する例：ステップ３２）。これにより、緑色の表示画面を視認したオペレータは、コンタクトプローブ２ａ，２ｂを接触させている２点間が、規定された絶縁抵抗値以上の絶縁状態で良好に絶縁されているのを直感的に認識する。
【００３７】
一方、抵抗値データＤｃの値が判定値Ｂよりも小さかったとき（判定値Ｂが抵抗値データＤｃの値よりも大きかったとき）には、処理部６は、前述した比較処理Ａ２０のステップ２３と同様にして、表示部４のＬＥＤバックライトを赤色で点灯させることにより、表示部４の表示画面を赤色に変更させると共に、図示しないスピーカから警告音を出力させる（「測定対象体が良好ではないとの比較結果」を報知する例であって、比較結果に応じて画面色を「予め規定された色」の一例である赤色に変更させると共に警告音を出力することで比較結果（判定結果）を報知する例：ステップ３３）。これにより、赤色の表示画面を視認すると共に警告音を聞いたオペレータは、コンタクトプローブ２ａ，２ｂを接触させている２点間が、規定された絶縁抵抗値に満たない絶縁状態であるのを直感的に認識する。
【００３８】
この場合、前述したように、短い「測定時間」内に測定された測定データＤａ，Ｄｂに基づいて算出された絶縁抵抗値は、十分に正確な値ではない可能性がある。したがって、この絶縁抵抗計１では、上記の比較処理Ａ２０において、上記の比較処理Ｂ３０時に使用する判定値Ｂ（２点間の絶縁状態に応じた抵抗値として好ましい値）よりも十分に大きな値（一例として、判定値Ｂの２倍から５倍程度大きい値）に規定されている判定値Ａと抵抗値データＤｃの値と比較することで、２点間の絶縁状態を判定する構成が採用されている。これにより、「測定時間」が短いことに起因して、仮に、絶縁状態が良好ではない２点間の絶縁抵抗値が実際の抵抗値よりも大きな値であると測定されたとしても、十分に大きな値に規定されている判定値Ａとの比較結果を報知することで、絶縁状態が良好であると誤って報知される事態が回避されている。
【００３９】
一方、上記の比較処理Ｂ３０では、十分に長い「測定時間」内に測定された正確な測定データＤａ，Ｄｂに基づいて演算された絶縁抵抗値を比較対象としているため、比較の基準となる判定値Ｂは、２点間の絶縁状態に応じた抵抗値として好ましい値（絶縁状態が良好であるか否かを正確に比較（判定）し得る値）に規定されている。これにより、絶縁状態が良好であるにも拘わらず、過剰に大きな値に規定された判定値と比較されることで絶縁状態が良好ではないと誤って報知される事態が回避されている。なお、この例では、上記の比較処理Ｂ３０におけるステップ３１，３２、またはステップ３１，３３の処理が「第３の処理」に相当する。
【００４０】
続いて、処理部６は、終了条件（一例として、測定開始／停止スイッチの操作によって測定終了を指示されたとき、または、予め設定された時間に亘って絶縁抵抗値の測定を実行したとき）が満たされたか否かを判別する（ステップ１７）。この際に、終了条件が満たされていないと判別したときには、処理部６は、上記のステップ１５に戻って、測定データＤａ，Ｄｂに基づく絶縁抵抗値の演算、「第１の処理（ステップ１６）」および「第３の処理（比較処理Ｂ３０）」をこの順で実行すると共に、終了条件が満たされたか否かを再び判別する（ステップ１７）。また、終了条件が満たされたとき（例えば、測定開始／停止スイッチの操作されたとき）に、処理部６は、この絶縁抵抗測定処理１０を終了する。
【００４１】
このように、この絶縁抵抗計１、および絶縁抵抗計１による測定方法によれば、予め規定された「第１の時間（この例では、３００ｍｓ）」毎に生成した抵抗値データＤｃを用いてその値を表示部４に表示させる「第１の処理（この例では、上記の絶縁抵抗測定処理１０におけるステップ１６）」を実行するのに先立ち、「第１の時間（この例では、３００ｍｓ）」よりも短い「第２の時間（この例では、１０ｍｓ）」内で生成した抵抗値データＤｃを用いてその値と予め規定された判定値Ａとを比較して比較結果を報知する「第２の処理（この例では、上記の絶縁抵抗測定処理１０における比較処理Ａ２０）」を実行することにより、正確な絶縁抵抗値の表示を目的としていることで、長い「測定時間」を要する「第１の処理」を開始する前に、十分に短い「測定時間」内に生成した抵抗値データＤｃと判定値Ａとの比較結果（判定結果）が表示部４に短時間で表示されるため、比較結果を短時間で認識させることができる。
【００４２】
また、この絶縁抵抗計１、および絶縁抵抗計１による測定方法によれば、「第１の処理」において表示部４に表示させた抵抗値データＤｃの値と予め規定された判定値Ｂとを比較して比較結果を報知する「第３の処理（この例では、上記の絶縁抵抗測定処理１０における比較処理Ｂ３０）」を「第１の処理」の後に実行することにより、仮に、「測定時間」が短いことに起因して抵抗値データＤｃが不正確であったとしても、その不正確な抵抗値データＤｃを用いた「第２の処理」の報知内容が、十分に長い「測定時間」内に測定された正確な抵抗値データＤｃを用いた比較結果（判定結果）に修正されるため、正確な比較結果（判定結果）をオペレータに認識させることができる。
【００４３】
さらに、この絶縁抵抗計１、および絶縁抵抗計１による測定方法によれば、「第２の処理」において判定値Ｂよりも大きな値に規定されている判定値Ａと抵抗値データＤｃの値とを比較することにより、「測定時間」が短いことで不正確である可能性がある抵抗値データＤｃと比較する「第２の処理」においては、測定対象体Ｘの状態とは相違する比較結果とならないように、余裕（マージン）を持った判定値Ａを用いると共に、「測定時間」が長いことで十分に正確である抵抗値データＤｃと比較する「第３の処理」においては、比較結果に基づいて測定対象体Ｘの状態を正確に把握できるように余裕が小さい判定値Ｂを用いることで、「第２の処理」および「第３の処理」の双方において、誤った比較結果（判定結果）が報知される事態を好適に回避することができる。
【００４４】
また、この絶縁抵抗計１、および絶縁抵抗計１による測定方法によれば、「第２の処理」時に判定値Ａと比較した抵抗値データＤｃの値を表示部４に表示させずに「第１の処理」によって抵抗値データＤｃの値を表示させるまで抵抗値データＤｃの値の非表示状態を維持することにより、「測定時間」が短いことで不正確である可能性がある抵抗値データＤｃの値が表示部４に表示されて、不正確な絶縁抵抗値がオペレータによって認識される事態を好適に回避することができる。
【００４５】
さらに、この絶縁抵抗計１、および絶縁抵抗計１による測定方法によれば、「第２の処理」時に比較結果に応じて表示部４の画面色を予め規定された色（この例では、緑色、または赤色）に変更させることで比較結果を報知することにより、この種の装置の使用に不慣れなオペレータに対しても、比較結果（判定結果）を直感的に認識させることができる。
【００４６】
なお、「測定装置」および「測定方法」は、上記の絶縁抵抗計１の構成およびその測定方法に限定されない。例えば、「第２の処理」および「第３の処理」に相当する比較処理Ａ２０および比較処理Ｂ３０において、表示部４の画面色を予め規定された色に変更させることで比較結果（判定結果）報知する構成・方法について説明したが、このような構成・方法に代えて（または、このような構成・方法に加えて）、比較結果（判定結果）に応じて予め規定された図柄、記号および文字等を表示部４に表示させたり、比較結果（判定結果）に応じて、図柄、記号および文字等を表示状態／非表示状態に切り替えたりする構成・方法を採用することもできる。
【００４７】
また、抵抗値データＤｃの値が判定値Ａ，Ｂよりも小さいときに警告音を出力する構成・方法を例に挙げて説明したが、表示部４に対する表示だけで比較結果（判定結果）を報知する構成・方法（音声による報知を行わない構成・方法）や、例えば、抵抗値データＤｃの値が判定値Ａ，Ｂよりも小さいときに「第１の音（例えば、ブザー音）」を出力すると共に、抵抗値データＤｃの値が判定値Ａ，Ｂ以上のときに「第１の音」とは相違する「第２の音（例えば、チャイム音）を出力することで比較結果（判定結果）を報知する構成・方法を採用することもできる。これらの構成・方法を採用した場合においても、上記の絶縁抵抗計１、およびその測定方法と同様の効果を奏することができる。
【００４８】
さらに、「測定装置（測定方法）」の一例として絶縁抵抗計１（絶縁抵抗測定方法）を例に挙げて説明したが、「導通検査装置（導通状態を把握するための電流・電圧および抵抗値の測定方法）」などの各種の「測定装置（測定方法）」においても、上記の絶縁抵抗計１の構成、およびその測定方法と同様に一連の処理を実行することができる。
【００４９】
この場合、一般的には、「測定対象体」の導通状態が良好なほど大きな電流値が測定される。したがって、「導通検査装置およびその測定方法」における「第２の処理」や「第３の処理」において、「測定データの値」としての「電流値」と「比較値（判定値）」とを比較する構成・方法を採用する場合には、「第２の処理」時に使用する「第１の比較値」を、「第３の処理時」に使用する「第２の比較値」よりも大きな値に規定することで、仮に、導通状態が良好ではない「測定対象体」の実際の導通状態に応じた電流値よりも大きな電流値が「第２の処理」時に測定されたとしても、「測定対象体」の導通状態が良好であると誤って報知される事態を回避することができる。
【００５０】
また、一般的には、「測定対象体」の導通状態が良好なほど小さな抵抗値が測定される。したがって、「導通検査装置およびその測定方法」における「第２の処理」や「第３の処理」において、「測定データの値」としての「抵抗値」と「比較値（判定値）」とを比較する構成・方法を採用する場合には、「第２の処理」時に使用する「第１の比較値」を、「第３の処理時」に使用する「第２の比較値」よりも小さな値に規定すると共に、前述絶縁抵抗測定処理１０の手順と同様に従って測定対象体の抵抗値を測定し、その際に、比較処理Ａ，Ｂにおけるステップ２１，３１において、演算した抵抗値（「測定データの値」）が判定値Ａ，Ｂ（「第１の比較値」および「第２の比較値」）以下のときに、ステップ２２，３２の処理に進めばよい。
【００５１】
このような構成を採用することにより、「測定時間」が短いことで不正確である可能性がある（実際の導通状態に応じた抵抗値よりも小さな値に測定される可能性がある）測定値と比較する比較処理Ａ（「第２の処理」）において、測定対象体の状態とは相違する比較結果とならないように、余裕（マージン）を持った判定値Ａ（「第１の比較値」）を用いると共に、「測定時間」が長いことで十分に正確である（実際の導通状態に応じた抵抗値である）測定値と比較する比較処理Ｂ（「第３の処理」）において、比較結果に基づいて測定対象体の状態を正確に把握できるように余裕が小さい判定値Ｂ（「第２の比較値」）を用いることで、「第２の処理」および「第３の処理」の双方において、誤った比較結果（判定結果）が報知される事態を好適に回避することができる。
【符号の説明】
【００５２】
１  絶縁抵抗計
２  測定部
２ａ，２ｂ  コンタクトプローブ
３  操作部
４  表示部
５  記憶部
６  処理部
１０  絶縁抵抗測定処理
２０  比較処理Ａ
３０  比較処理Ｂ
Ｄａ，Ｄｂ  測定データ
Ｄｃ  抵抗値データ
Ｘ  測定対象体
【図１】
0005936427.tif 000002
【図２】
0005936427.tif 000003
【図３】
0005936427.tif 000004
【図４】
0005936427.tif 000005